(57)【特許請求の範囲】
【請求項１】
一端が開口した電子機器筐体内にその開口端から回路基板を挿脱可能に収納して該回路基板を前記電子機器筐体に固定保持させる電子機器筐体の基板取付装置において、
筒状のスペーサ、該スペーサ内に挿入されるねじ部材、該スペーサに嵌め込まれるストッパ片とからなる固定部材と、前記ストッパ片を前記電子機器筐体内に挿入して前記回路基板を係止させるように該電子機器筐体の側壁に形成した挿入孔とを有することを特徴とする電子機器筐体の基板取付装置。
【請求項２】
一端が開口した電子機器筐体内にその開口端から回路基板を挿脱可能に収納して該回路基板を前記電子機器筐体に固定保持させる電子機器筐体の基板取付装置において、
筒状のスペーサ、該スペーサ内に挿入されるねじ部材、該スペーサに嵌め込まれるストッパ片とからなる固定部材と、前記電子機器筐体の側壁に形成した前記ねじ部材を係止する係止片と、前記ストッパ片を前記電子機器筐体内に挿入して前記回路基板を係止させるように前記電子機器筐体の側壁に形成した挿入孔とを有することを特徴とする電子機器筐体の基板取付装置。
【請求項３】
ストッパ片は、スペーサを挿入する孔に連通して該スペーサの外径より小さい寸法の開口部が形成されていることをを特徴とする請求項１または請求項２記載の電子機器筐体の基板取付装置。
【請求項４】
ストッパ片の挿入孔面には該ストッパ片が摺動接触するリブが形成されていることを特徴とする請求項１から請求項３のうちのいずれか１項記載の電子機器筐体の基板取付装置。
【発明の詳細な説明】
【０００１】
【発明の属する技術分野】
この発明は、各種の現場機器と中央制御装置との間で信号のやり取りを行う通信モジュール等のような電子機器の筐体内に回路基板を収納保持するための電子機器筐体の取付装置に関するものである。
【０００２】
【従来の技術】
一般に、工場等に設置されている現場機器のセンサから中央制御装置に検知信号を送り、中央制御装置から現場機器に制御信号を送るため、現場機器と中央制御装置との間に入出力モジュール、通信モジュール等を備えた電子機器が接続されている。
【０００３】
図６は、従来の電子機器筐体の基板取付装置を説明するために例示した通信モジュールの斜視図である。同図において、４は通信モジュール、８は電子機器筐体、９はこの電子機器筐体８内に収納された回路基板、１６は回路基板９に設けられた雌コネクタである。回路基板９は電子機器筐体８内にフリーの状態で収納され、特に抜け止め等の手段は設けられていない。これは、一般に通信モジュールは製品数が少ないため、抜け止め構造を設けるとコストアップになるためである。電子機器筐体８は、左右両側壁に通風孔１０が形成され、下部に開口部が形成された薄型箱形状のものである。この通信モジュール４は、電子機器筐体８の左右両側壁に形成された一対の係止片１４に係止された固定部材５によりマザーボード（図示せず）に取り付けられ、回路基板９のコネクタ１６はマザーボード上のコネクタピン（図示せず）に差し込まれるようになっている。
【０００４】
【発明が解決しようとする課題】
従来の電子機器筐体は、上記のように回路基板９が電子機器筐体８に固定されないフリーの状態であるため、交換時にマザーボードから電子機器筐体８を取り外すとき、マザーボードのコネクタピンに接続された雌コネクタによって回路基板９がマザーボード上に残り、電子機器筐体８のみが取り外されることになる。したがって、改めて回路基板９を取り除き、交換を行う必要があり、交換作業が面倒であった。また、固定部材５もその一部が一対の係止片１４間に係止されるだけであるから、運搬時等に脱落紛失する恐れがあった。
【０００５】
そこで、他の従来例として、回路基板に電子機器筐体に対する取付片部を形成し、この取付片部を電子機器筐体にねじ止めしたり、あるいは電子機器筐体を２つ割構成とし、この２つ割筐体を開いて該筐体内に回路基板を収納した後、その２割筐体を合せて両者をねじ止めする方法もあるが、いずれの場合もねじ止めを必要とするため、電子機器筐体に対する回路基板の取付固定および基板交換時やメンテナンス時の回路基板の脱着が非常に面倒で作業性が悪いという課題があった。
【０００６】
この発明は、上記のような課題を解決するためになされたもので、簡単な手段で回路基板を電子機器筐体に固定することにより、マザーボード上での交換作業を容易にするとともに、取付けねじの脱落紛失を防止した電子機器筐体の基板取付装置を得ることを目的とする。
【０００７】
【課題を解決するための手段】
この発明に係る電子機器筐体の基板取付装置は、筒状のスペーサ、該スペーサ内に挿入されるねじ部材、該スペーサに嵌め込まれるストッパ片とからなる固定部材と、前記スペーサを前記電子機器筐体内に挿入して前記回路基板を係止させるように前記電子機器筐体の側壁に形成した挿入孔とを備えたものである。
【０００８】
この発明に係る電子機器筐体の基板取付装置は、筒状のスペーサ、該スペーサ内に挿入されるねじ部材、該スペーサに嵌め込まれるストッパ片とからなる固定部材と、電子機器筐体の側壁に形成した前記ねじ部材を係止する係止片と、前記スペーサを前記電子機器筐体内に挿入して前記回路基板を係止させるように前記電子機器筐体の側壁に形成した挿入孔とを備えたものである。
【０００９】
この発明に係る電子機器筐体の基板取付装置は、前記ストッパ片に、前記スペーサを挿入する孔に連通して該挿通孔径より小さい寸法の開口部を形成したものである。
【００１０】
この発明に係る電子機器筐体の基板取付装置は、ストッパ片の挿入孔面には該ストッパ片が摺動接触するリブを形成したものである。
【００１１】
【発明の実施の形態】
以下、この発明の実施の一形態を説明する。
実施の形態１．
図１はこの発明の実施の形態１による電子機器筐体の基板取付装置を適用した信号変換機器の斜視図であり、図６と同一部材または同一機能のものには同一符号を付して重複説明を省略する。
図１において、Ａは信号変換器、１はマザーボード２に取り付けられた多数の入出力（Ｉ／Ｏ）モジュール、３は端子台、４はマザーボード２に取り付けられた通信モジュール、５は固定部材である。マザーボード２は取付孔６を介して中央制御装置の制御盤（図示せず）等に取り付けられる。そして、制御盤と通信モジュール４が接続され、入出力モジュール１の端子台３を介して各種現場機器に接続される。
【００１２】
前記通信モジュール４の詳細を図２および図３に示している。図２および図３において、８は通信モジュール４の電子機器筐体、９はこの電子機器筐体８内に収納された回路基板である。電子機器筐体８は、左右両側壁に通風孔１０が形成され、下部に開口部１１が形成された薄型箱形状のものである。そして、左右両側壁の下端部には係止凸部１２が形成され、この係止凸部１２に上下方向に向く取付孔１３が形成されている。また、必要に応じ、想像線で示すように、上記係止凸部１２の上方に位置して、一対の係止片１４が電子機器筐体８の側壁に形成されている。
【００１３】
回路基板９の下部には雌コネクタ１６が設けられ、かつ下端縁の両隅部には切欠部１７が形成されている。この回路基板９は電子機器筐体８内に開口部１１から挿入される。
【００１４】
図４に示すように、前記固定部材５は、ねじ部材１８と、スリーブ状のスペーサ１９と、ストッパ片２０とで構成されている。ねじ部材１８は、軸部２１の上端に頭部２２が形成され、軸部２１の下部には雌ねじ部２３が形成された形状であって、スペーサ１９に遊挿されるようになっている。ストッパ片２０はスペーサ１９が遊嵌される挿通孔３０が形成されたもので、図示例は挿通孔３０の一部を含んでストッパ片２０の一部（図４に示す点線部２０ａ）を切断して、挿通孔３０に連通するスペーサ１９の外径より小さな幅ｔの開口部３０ａを形成している。なお、ストッパ片２０は回路基板９の廃材を利用して安価に形成できる。
【００１５】
次に、図３により固定部材５の装着手順を説明する。
図３（ａ）に示すように、ねじ部材１８をスペーサ１９に挿入し、スペーサ１９の下部にストッパ片２０を挿入する。このとき、挿通孔３０の開口部３０ａの幅ｔはスペーサ１９の外径より小さいので、ストッパ片２０はスペーサ１９の軸線と直交する矢印Ｘ方向に抜けることはない。また、ストッパ片２０は寸法Ｗだけ小さくなっているので、組付け時に外部に出っ張ることがなく外観体裁がよい。
【００１６】
次に、上記のようにして構成された固定部材５を、図３（ｂ）のように回路基板９が挿入された電子機器筐体８に装着する。すなわち、スペーサ１９を係止片１４と係止凸部１２との間に嵌め込み、かつ、ねじ部材１８の軸部２１を係止片１４、１４の間に位置させ、さらに、ストッパ片２０を最下端の通風孔である挿入孔２４に少し挿入する。
【００１７】
図３（ｂ）の状態から固定部材５全体を電子機器筐体８の方向に押し込むと、図３（ｃ）に示すように、スペーサ１９は係止片１４と係止凸部１２との間に完全に嵌め込まれ、ねじ部材１８の軸部２１が係止片１４、１４の間にその弾性力に抗して嵌め込まれ、かつ、ストッパ片２０は挿入孔２４から電子機器筐体８内に入り込み、回路基板９の切欠部１７の下面を係止する。これにより、回路基板９はストッパ片２０で係止されて電子機器筐体８内に固定された状態となる。ストッパ片２０は挿通孔３０の内面がスペーサ１９の外面に当接して抜けが防止されている。この場合、図５に示すように、挿入孔２４の上面に２本のリブ２７を形成しておくことにより、ストッパ片２０と挿入孔２４の寸法誤差があっても、このリブ２７がストッパ片２０に対して強い摩擦力を付与して、ストッパ片２０をガタなく保持することができる。
【００１８】
このようにして、図３（ｃ）のようにスペーサ１９はストッパ片２０の挿通孔３０に係止されると共に、係止片１４と係止凸部１２との間で摩擦係止されて電子機器筐体８に固定された状態となる。また、ねじ部材１８は雌ねじ部２３の段部２３ａ（図４参照）が係止片１４に当たることにより、上方への抜けが防止される。なお、図示例は想像線で示したように、電子機器筺体８の側壁に一対の係止片１４を形成し、固定部材５の構成要素であるねじ部材１８の軸部２１を係止するように構成したので、ねじ部材１８の保持が強固となり、運搬時等におけるねじ部材の脱落紛失が低減される。しかし、ストッパ片２０による保持が十分であれば、係止片１４はなくともよいものである。
【００１９】
図３（ｃ）に示すように、上記のように構成された通信モジュール４をマザーボード２に装着する。すなわち、回路基板９の雌コネクタ１６をコネクタピン２６に挿入すると共に、マザーボード２上の雄ねじ２５に係止凸部１２の孔１３を嵌め込み、固定部材５のねじ部材１８を回動させることにより、雌ねじ部２３が雄ねじ２５にねじ込まれて固定される。
【００２０】
以上のように、この実施の形態１によれば、固定部材５のスペーサ１９を電子機器筐体８の側壁に嵌め込み、スペーサ１９に取り付けられたストッパ片２０を側壁の挿入孔２４から電子機器筐体に挿入して回路基板９を係止し、スペーサ１９内のねじ部材１８をマザーボード２のボルト２５にねじ込むようにしたので、回路基板９が電子機器筐体８へ固定され、したがって、通信モジュール４の交換作業が容易になると共に、１つの固定部材５で電子機器筐体８のマザーボード２への固定と回路基板９の電子機器筐体８への固定ができ、簡単な固定部材で安価に製作できる。
【００２１】
また、ストッパ片２０は挿通孔３０の一部を欠除してスペーサ１９の外径より小さい寸法の開口部３０ａを形成したので、電子機器筐体８に組付けた時、外部への出っ張りがなく、外観体裁がよい。スペーサ１９は挿通孔３０の内側で係止されて外方に抜けることがなく、確実に電子機器筐体８に係止される。また、電子機器筐体８の挿入孔２４にはストッパ片２０が摺動接触するリブ２７を形成したので、ストッパ片２０と挿入孔２４との間に多少の寸法誤差があっても、リブ２７とストッパ片２０との摩擦接触でストッパ片２０を確実に保持できる。なお、挿入孔２４は元からある通風孔を利用すればよいので、改めて形成する必要はない。
【００２２】
【発明の効果】
以上のように、この発明によれば、固定部材のスペーサを電子機器筐体の側壁に嵌め込み、スペーサに取り付けられたストッパ片を側壁の挿入孔から挿入して回路基板を係止するように構成したので、回路基板が電子機器筐体へ固定され、したがって、通電子機器としての通信モジュールの交換作業が容易になると共に、１組の固定部材で電子機器筐体のマザーボードへの固定と回路基板の電子機器筐体への固定ができ、簡単な構成の固定部材を安価に製作できるという効果がある。
【００２３】
また、この発明によれば、固定部材の構成要素であるねじ部材を係止する係止片を電子機器筐体の側壁に形成したので、ねじ部材の保持が強固となり、運搬時等におけるねじ部材の脱落紛失が低減されるという効果がある。
【００２４】
また、この発明によれば、ストッパ片にはスペーサ挿通孔に連通して該スペーサの外径より小さい寸法の開口部を形成したので、スペーサは挿通孔の内側で係止されてスペーサの軸線と直交する方向に抜けることがなく、確実に電子機器筐体に係止されるとともに、ストッパ片は、電子機器筐体の挿入孔に挿入した時、外部への出っ張りがなく、外観体裁がよいという効果がある。
【００２５】
また、この発明によれば、挿入孔面にはストッパ片が摺動接触するリブを形成したので、ストッパ片と挿入孔との間に多少の寸法誤差があっても、リブとストッパ部材との摩擦接触でストッパ片をガタなく確実に保持できるという効果がある。
【図面の簡単な説明】
【図１】この発明の実施の形態１による電子機器筐体の取付基板装置を説明するために例示した信号変換器の斜視図である。
【図２】この発明の電子機器筐体の基板取付装置の斜視図である。
【図３】この発明の電子機器筐体の取付装置における固定部材の装着手順を示す断面図である。
【図４】固定部材の分解斜視図である。
【図５】電子機器筐体の側壁部分の拡大図である。
【図６】従来の電子機器筐体の基板取付装置を示す斜視図である。
【符号の説明】
１  入出力モジュール
２  マザーボード
３  端子台
４  通信モジュール
５  固定部材
６  取付孔
８  電子機器筐体
９  回路基板
１０  通風孔
１１  開口部
１２  係止凸部
１３  孔
１４  係止片
１６  雌コネクタ
１７  切欠部
１８  ねじ部材
１９  スペーサ
２０  ストッパ片
２１  軸部
２２  頭部
２３  雌ねじ部
２４  挿入孔
２７  リブ
３０  挿通孔
３０ａ  開口部
Ａ  信号変換器
【図１】
0003868795.tif 000002
【図２】
0003868795.tif 000003
【図３】
0003868795.tif 000004
【図４】
0003868795.tif 000005
【図５】
0003868795.tif 000006
【図６】
0003868795.tif 000007